(57)【要約】      （修正有）【課題】速やかにドアを取り外して簡単に避難することができるクイック非常用ヒンジを提供する。【解決手段】クイック非常用ヒンジは、上位置決め座１００、下位置決め座２００、枢軸構造３００及びクイックリリースキー４００を備える。上位置決め座１００は、上枢着部１１０及び上固定部１２０を有する。上枢着部１１０は、上固定部１２０の一側に形成される。上枢着部１１０には、上収容槽１１１が凹設される。上固定部１２０は、ドアパネルに固定するために用いる。下位置決め座２００は、下枢着部２１０及び下固定部２２０を有する。下枢着部２１０は、下固定部２２０の一側に形成されるとともに凹設された下収容槽２１１を有する。下固定部２２０は、下収容槽２１１と連通したチャネル２３０を有するとともに、ドア枠に固定される。枢軸構造３００は、第１の弾性部材３１０、上枢軸３２０及び下枢軸３３０を含む。【選択図】図３
0003194423.tif 000002
【実用新案登録請求の範囲】
【請求項１】
上位置決め座、下位置決め座、枢軸構造及びクイックリリースキーを備えるクイック非常用ヒンジであって、
前記上位置決め座は、上枢着部及び上固定部を有し、前記上枢着部は、前記上固定部の一側に形成され、前記上枢着部には、上収容槽が凹設され、前記上固定部は、ドアパネルに固定するために用いられ、
前記下位置決め座は、下枢着部及び下固定部を有し、前記下枢着部は、前記下固定部の一側に形成されるとともに凹設された下収容槽を有し、前記下固定部は、前記下収容槽と連通したチャネルを有するとともに、ドア枠に固定され、
前記枢軸構造は、第１の弾性部材、上枢軸及び下枢軸を含み、前記第１の弾性部材は、前記上収容槽内に収容され、前記第１の弾性部材の一端が前記上収容槽の内側に当接され、前記上枢軸は、一端が前記第１の弾性部材の他端に当接されるとともに、前記上収容槽及び前記下収容槽に着脱自在に取り付けられ、前記下枢軸は、前記下収容槽に着脱自在に取り付けられるとともに、一端が前記上枢軸の他端に当接され、他端に第１の上昇構造を有し、
前記クイックリリースキーは、前記チャネルに可動可能に挿設され、両端に制御部及び第２の上昇構造がそれぞれ設けられ、前記制御部は、前記チャネルの一端に可動可能に位置し、前記第２の上昇構造は、前記チャネルの他端に可動可能に位置し、前記下枢軸の前記第１の上昇構造に対応し、前記第２の上昇構造により前記第１の上昇構造の上昇高さが前記上枢軸の前記下収容槽中の長さに等しい、
ことを特徴とするクイック非常用ヒンジ。
【請求項２】
前記第１の上昇構造は、一端面が前記下収容槽内に当接され、
前記第２の上昇構造は、楔形頂高部であり、端面と前記下収容槽との間のスリットに対応することを特徴とする請求項１に記載のクイック非常用ヒンジ。
【請求項３】
前記楔形頂高部の一側には、翼部が横向きに延設され、前記翼部の上昇高さが前記上枢軸の前記下収容槽中の長さに等しいか、
前記楔形頂高部の互いに対をなす両側に、前記翼部が横向きに延設され、前記翼部の上昇高さが前記上枢軸の前記下収容槽中の長さに等しい、
ことを特徴とする請求項２に記載のクイック非常用ヒンジ。
【請求項４】
前記楔形頂高部は、バンプを有し、
前記下収容槽の底部には、凹槽が形成され、
前記凹槽中に前記バンプが着脱自在に係合されている、
ことを特徴とする請求項２に記載のクイック非常用ヒンジ。
【請求項５】
前記下収容槽は、前記凹槽が嵌着可能な凸座を底部に有し、
前記下枢軸の他端は、前記凸座に当接され、前記楔形頂高部は、前記端面と前記凸座との間のスリットに対応することを特徴とする請求項４に記載のクイック非常用ヒンジ。
【請求項６】
前記上枢軸は、下端に嵌着される凸柱を有し、
前記下枢軸は、その中に前記凸柱が着脱自在に取り付けられるとともに、上端に形成された凹部を有する、
ことを特徴とする請求項１に記載のクイック非常用ヒンジ。
【請求項７】
一端が前記チャネルに接続され、他端が前記クイックリリースキーに接続された第２の弾性部材をさらに備える、ことを特徴とする請求項１に記載のクイック非常用ヒンジ。
【考案の詳細な説明】
【技術分野】
【０００１】
本考案は、ヒンジに関し、特に、簡単な操作でヒンジを速やかに取り外すことができるクイック非常用ヒンジに関する。
【背景技術】
【０００２】
図１及び図２に示すように、従来のドアヒンジ１０ａは、ドアパネル１ａとドア枠２ａとの間に取り付けられている。ドアヒンジ１０ａは、ドアパネル座１００ａ、ドア枠座２００ａ及び枢軸３００ａを含む。ドアパネル座１００ａは、ドアパネル１ａに取り付けられている。ドア枠座２００ａは、ドア枠２ａに取り付けられている。枢軸３００ａは、ドアパネル座１００ａの軸孔と、ドア枠座２００ａの軸孔とに挿通され、ドアパネル１ａは開閉が可能なようにドアヒンジ１０ａにより枢着されている。
【０００３】
しかし、例えば、火事、洪水などの緊急事態が発生した場合、各部材が互いに密着されているためドアヒンジ１０ａを取り外すことは容易でなく、部屋の中に閉じ込められた者が避難することは困難であった。特に、ドアが損壊してしまったり鍵を紛失してしまったりした場合、ドアパネル１ａを開けて速やかに避難することはできなかった。
【０００４】
そのため、速やかにドアを取り外して簡単に避難することができるクイック非常用ヒンジが求められていた。
【考案の概要】
【考案が解決しようとする課題】
【０００５】
本考案の目的は、速やかにドアを取り外して簡単に避難することができるクイック非常用ヒンジを提供することにある。
【課題を解決するための手段】
【０００６】
上記課題を解決するために、本考案の第１の形態によれば、上位置決め座、下位置決め座、枢軸構造及びクイックリリースキーを備えるクイック非常用ヒンジであって、前記上位置決め座は、上枢着部及び上固定部を有し、前記上枢着部は、前記上固定部の一側に形成され、前記上枢着部には、上収容槽が凹設され、前記上固定部は、ドアパネルに固定するために用い、前記下位置決め座は、下枢着部及び下固定部を有し、前記下枢着部は、前記下固定部の一側に形成されるとともに凹設された下収容槽を有し、前記下固定部は、前記下収容槽と連通したチャネルを有するとともに、ドア枠に固定され、前記枢軸構造は、第１の弾性部材、上枢軸及び下枢軸を含み、前記第１の弾性部材は、前記上収容槽内に収容され、前記第１の弾性部材の一端が前記上収容槽の内側に当接され、前記上枢軸は、一端が前記第１の弾性部材の他端に当接されるとともに、前記上収容槽及び前記下収容槽に着脱自在に取り付けられ、前記下枢軸は、前記下収容槽に着脱自在に取り付けられるとともに、一端が前記上枢軸の他端に当接され、他端に第１の上昇構造を有し、前記クイックリリースキーは、前記チャネルに可動可能に挿設され、両端に制御部及び第２の上昇構造がそれぞれ設けられ、前記制御部は、前記チャネルの一端に可動可能に位置し、前記第２の上昇構造は、前記チャネルの他端に可動可能に位置し、前記下枢軸の前記第１の上昇構造に対応し、前記第２の上昇構造により前記第１の上昇構造の上昇高さが前記上枢軸の前記下収容槽中の長さに等しいことを特徴とするクイック非常用ヒンジが提供される。
【０００７】
前記第１の上昇構造は、一端面が前記下収容槽内に当接され、前記第２の上昇構造は、楔形頂高部であり、端面と前記下収容槽との間のスリットに対応することが好ましい。
【０００８】
前記楔形頂高部の一側には、翼部が横向きに延設され、前記翼部の上昇高さが前記上枢軸の前記下収容槽中の長さに等しいか、前記楔形頂高部の互いに対をなす両側に、前記翼部が横向きに延設され、前記翼部の上昇高さが前記上枢軸の前記下収容槽中の長さに等しいことが好ましい。
【０００９】
前記楔形頂高部は、バンプを有し、前記下収容槽の底部には、凹槽が形成され、前記凹槽中に前記バンプが着脱自在に係合されていることが好ましい。
【００１０】
前記下収容槽は、前記凹槽が嵌着可能な凸座を底部に有し、前記下枢軸の他端は、前記凸座に当接され、前記楔形頂高部は、前記端面と前記凸座との間のスリットに対応することが好ましい。
【００１１】
前記上枢軸は、下端に嵌着される凸柱を有し、前記下枢軸は、その中に前記凸柱が着脱自在に取り付けられるとともに、上端に形成された凹部を有することが好ましい。
【００１２】
一端が前記チャネルに接続され、他端が前記クイックリリースキーに接続された第２の弾性部材をさらに備えることが好ましい。
【考案の効果】
【００１３】
本考案のクイック非常用ヒンジは、緊急事態が発生したときに、クイックリリースキーを押圧するだけで、ヒンジを速やかに取り外すことができる。
【図面の簡単な説明】
【００１４】
【図１】従来のドアヒンジの使用状態の説明図である。
【図２】従来のドアヒンジを示す斜視図である。
【図３】本考案の第１実施形態に係るクイック非常用ヒンジを示す斜視図である。
【図４】本考案の第１実施形態に係るクイック非常用ヒンジを示す断面図である。
【図５ａ】本考案の第１実施形態に係るクイック非常用ヒンジを示す断面図である。
【図５ｂ】本考案の第１実施形態に係るクイック非常用ヒンジの使用状態の説明図である。
【図６】本考案の第２実施形態に係るクイック非常用ヒンジを示す斜視図である。
【図７】本考案の第２実施形態に係るクイック非常用ヒンジを示す部分拡大図である。
【図８】本考案の第２実施形態に係るクイック非常用ヒンジを示す断面図である。
【図９】本考案の第３実施形態に係るクイック非常用ヒンジを示す部分拡大図である。
【図１０】本考案の一実施形態に係るクイック非常用ヒンジの枢軸構造を示す部分拡大図である。
【考案を実施するための形態】
【００１５】
以下、本考案の実施形態について図に基づいて説明する。なお、これによって本考案が限定されるものではない。
【００１６】
（第１実施形態）
図３を参照する。図３は、本考案の第１実施形態に係るクイック非常用ヒンジを示す斜視図である。図３に示すように、本考案の第１実施形態に係るクイック非常用ヒンジ１０は、上位置決め座１００、下位置決め座２００、枢軸構造３００及びクイックリリースキー４００を含む。
【００１７】
上位置決め座１００は、上枢着部１１０及び上固定部１２０を有する。上枢着部１１０は、上固定部１２０の一側に形成され、上枢着部１１０の中心部には、上収容槽１１１が凹設されている。上枢着部１１０及び上収容槽１１１は、円柱状を呈する。上収容槽１１１は、下部に開口部が形成され、上部に底部が形成されている。上固定部１２０は、ドアパネル（図示せず）に固定するために用いる少なくとも１つのねじＳを有する。上固定部１２０は板状構造である。
【００１８】
下位置決め座２００は、上位置決め座１００の下方に位置する。下位置決め座２００は、下枢着部２１０及び下固定部２２０を有する。下枢着部２１０は、下固定部２２０の一側に形成される。下枢着部２１０には、下収容槽２１１が凹設される。下枢着部２１０及び下収容槽２１１は、円柱状構造である。下収容槽２１１は、上部に開口部が形成され、下部に底部が形成される。上収容槽１１１と下収容槽２１１とは直線上に位置する。上収容槽１１１の開口部と下収容槽２１１の開口部とは連通される。下固定部２２０には、チャネル２３０が横向きに穿設されている。チャネル２３０は、下収容槽２１１に対して垂直に形成され、かつ、チャネル２３０と下収容槽２１１とが連通されている。下固定部２２０は、少なくとも１つのねじＳによりドア枠（図示せず）に固定され、下固定部２２０は板状構造でもよい。
【００１９】
枢軸構造３００は、第１の弾性部材３１０、上枢軸３２０及び下枢軸３３０を含む。第１の弾性部材３１０（例えば、ばね）は、上収容槽１１１内に収容される。第１の弾性部材３１０の上端は、上収容槽１１１内の底部に当接される。上枢軸３２０の上端は、第１の弾性部材３１０の下端に当接される。上枢軸３２０は、上収容槽１１１の開口部及び下収容槽２１１の開口部を介し、上収容槽１１１及び下収容槽２１１に着脱自在に取り付けられる。下枢軸３３０は、下収容槽２１１に着脱自在に取り付けられる。下枢軸３３０は、上端が上枢軸３２０の下端に当接されるとともに、下端に設けられた第１の上昇構造３３１を有する。第１の上昇構造３３１は一端面でもよく、下枢軸３３０の下端は、下収容槽２１１内の底部に当接されている。
【００２０】
クイックリリースキー４００は、チャネル２３０に可動可能に挿設されている。クイックリリースキー４００の両端には、制御部４１０及び第２の上昇構造４２０がそれぞれ設けられている。制御部４１０は、傘状に形成され、チャネル２３０の右端に可動可能に配設されている。第２の上昇構造４２０は、チャネル２３０の左端に可動可能に配設され、下枢軸３３０の第１の上昇構造３３１に対応する。第２の上昇構造４２０は、楔形頂高部であり、端面と下収容槽２１１との間のスリットに対応する。第２の上昇構造４２０により、第１の上昇構造３３１の上昇高さＤは上枢軸の下収容槽中の長さＤＣ２に等しい。下枢軸３３０の下端周縁には、下枢軸３３０の端面と下収容槽２１１の底部との間のスリットに楔形頂高部の前縁の挿入が容易になるようにリード角が形成されている。
【００２１】
図４を参照する。図４に示すように、実際に使用する際、クイックリリースキー４００の制御部４１０がチャネル２３０の右端から露出され、突出されている。クイックリリースキー４００の第２の上昇構造４２０は、チャネル２３０内に位置するか、チャネル２３０の左端から僅かに突出されている。第１の弾性部材３１０は、上枢軸３２０を下方へ押圧し、下枢軸３３０により上枢軸３２０を支える。上枢軸３２０は、上位置決め座１００の上収容槽１１１と下位置決め座２００の下収容槽２１１とに挿設されて本考案の枢軸として用い、ドアパネルは、開閉可能なようにクイック非常用ヒンジ１０を介して枢着されている。
【００２２】
図５ａ及び図５ｂを参照する。図５ａ及び図５ｂに示すように、例えば、火事、洪水などの緊急事態が発生したときに、第１実施形態のクイック非常用ヒンジ１０のクイックリリースキー４００の制御部４１０を押圧すると、クイックリリースキー４００の第２の上昇構造４２０が下収容槽２１１内で変位し、第２の上昇構造４２０が下枢軸３３０の第１の上昇構造３３１に接触されて下枢軸３３０が上昇して第１の弾性部材３１０が圧縮され、上枢軸３２０及び下枢軸３３０が一定高さになるまで上昇する。その高さが上枢軸の下収容槽中の長さＤＣ２に等しくなると、下収容槽２１１から上枢軸３２０を外すことができる。上枢軸３２０の下端は、上収容槽１１１の開口部に位置合わせされる。下枢軸３３０の上端が下収容槽２１１の開口部に位置合わせされ、上枢着部１１０及び下枢着部２１０が上枢軸３２０により位置拘束されなくなると、上位置決め座１００が下位置決め座２００から外れ、（上位置決め座１００と一緒に）ドアパネルをスムーズに取り外して簡単に避難することができるため、ドアを開けることができずに逃げ遅れてしまうことがない。
【００２３】
上述のクイック非常用ヒンジ１０は、第２の弾性部材４１５をさらに含んでもよい。第２の弾性部材４１５は、チャネル２３０内に設置するばねでもよい。第２の弾性部材４１５は、一端がチャネル２３０の壁面に接続され、他端がクイックリリースキー４００の両端間に接続されているため、クイックリリースキー４００はチャネル２３０内に安定的に設置される。
【００２４】
（第２実施形態）
続いて、図６及び図７を参照する。図６は、本考案の第２実施形態に係るクイック非常用ヒンジを示す斜視図である。図７は、本考案の第２実施形態に係るクイック非常用ヒンジを示す部分拡大図である。図６及び図７の本考案の第２実施形態に係るクイック非常用ヒンジ１０は、第１実施形態と異なり、楔形頂高部の一側に、翼部４２１が横向きに延設されている。翼部４２１の上昇高さＤは、上枢軸の下収容槽中の長さＤＣ２に等しいか、楔形頂高部の互いに対をなす両側に、翼部４２１が横向きに延設され、翼部の上昇高さＤは、上枢軸の下収容槽中の長さＤＣ２に等しい。
【００２５】
図８を参照する。図８に示すように、火事、洪水などの緊急事態が発生した際、本考案のクイック非常用ヒンジ１０のクイックリリースキー４００の制御部４１０を押圧すると、下枢軸３３０の下端端面と、下収容槽２１１の底部との間のスリットにクイックリリースキー４００の楔形頂高部が挿入され、クイックリリースキー４００の制御部４１０を回転させ、クイックリリースキー４００の翼部４２１が下枢軸３３０の下端に当接されて第１の弾性部材３１０が圧縮され、上枢軸３２０及び下枢軸３３０が所定高さになるまで上昇し、その高さが翼部４２１の全長ＤＷに等しくなると、下収容槽２１１から上枢軸３２０が外れる。上枢軸３２０の下端が上収容槽１１１の開口部と位置合わせされ、下枢軸３３０の上端が下収容槽２１１の開口部と位置合わせされると、上枢着部１１０及び下枢着部２１０は、上枢軸３２０により位置拘束されることはない。上位置決め座１００が下位置決め座２００から分離されると、（上位置決め座１００と一緒に）ドアパネルをスムーズに取り外して簡単に避難することができるため、ドアが開けられずに逃げ遅れることを防ぐことができる。翼部４２１によりクイックリリースキー４００が押圧され、上位置決め座１００と下位置決め座２００とが不用意に分離してしまうことを防ぐ。
【００２６】
（第３実施形態）
図９を参照する。図９に示すように、本考案の第３実施形態のクイックリリースキー４００の楔形頂高部の下部には、バンプ４２３が形成されている。バンプ４２３は、翼部４２１の左側に位置する。下収容槽２１１の底部には、凹槽２１１１が形成されている。下枢軸３３０の下端端面と、下収容槽２１１の底部との間のスリットに楔形の頂高部の前縁が挿入されると、バンプ４２３は凹槽２１１１中に着脱自在に係合される。また、下収容槽２１１は、底部に凸座２１１２を有し、凹槽２１１１は凸座２１１２に嵌着可能である。下枢軸３３０の下端端面は、凸座２１１２に当接される。楔形頂高部は、下枢軸３３０の下端端面と凸座２１１２上部との間のスリットに対応する。クイックリリースキー４００の制御部４１０を押圧すると、下枢軸３３０下端端面と、下収容槽２１１内の凸座２１１２上部との間のスリットに楔形頂高部が挿入されるため、バンプ４２３と凹槽２１１１とが係合されてクイックリリースキー４００の楔形頂高部を凸座２１１２上に正確に固定させることにより、クイックリリースキー４００が回転する際、不必要な摺動が発生することを防ぐことができる。
【００２７】
図１０を参照する。図１０に示すように、上枢軸３２０は凸柱３２１を有する。凸柱３２１は、上枢軸３２０の下端に嵌着される。下枢軸３３０は、凹部３３２を有する。凹部３３２は、下枢軸３３０の上端に形成され、凸柱３２１は、凹部３３２中に着脱自在に取り付けられ、両者を堅牢に接合することができる。
【００２８】
また、図示されていないが、当業者であれば容易に分かるように、上述したクイック非常用ヒンジ１０の第１の上昇構造３３１及び第２の上昇構造４２０は、互いに対応したギヤセットでもよいし、その他第２の上昇構造により第１の上昇構造を上昇させるのと同じ効果を有する構造からなってもよい。
【００２９】
上述したことから分かるように、本考案のクイック非常用ヒンジは、緊急事態が発生したときに、クイックリリースキーを押圧するか、クイックリリースキーを押圧して回転させるだけで、ドアを簡単に取り外して避難することができる。
【００３０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３１】
１ａ  ドアパネル、２ａ  ドア枠、１０  クイック非常用ヒンジ、１０ａ  ドアヒンジ、１００  上位置決め座、１００ａ  ドアパネル座、１１０  上枢着部、１１１  上収容槽、１２０  上固定部、２００  下位置決め座、２００ａ  ドア枠座、２１０  下枢着部、２１１  下収容槽、２２０  下固定部、２３０  チャネル、３００  枢軸構造、３００ａ  枢軸、３１０  第１の弾性部材、３２０  上枢軸、３２１  凸柱、３３０  下枢軸、３３１  第１の上昇構造、３３２  凹部、４００  クイックリリースキー、４１０  制御部、４１５  第２の弾性部材、４２０  第２の上昇構造、４２１  翼部、４２３  バンプ、２１１１  凹槽、２１１２  凸座、Ｄ  上昇高さ、ＤＣ２  上枢軸の下収容槽中の長さ、ＤＷ  翼部の全長、Ｓ  ねじ。
【図１】
0003194423.tif 000003
【図２】
0003194423.tif 000004
【図３】
0003194423.tif 000005
【図４】
0003194423.tif 000006
【図５ａ】
0003194423.tif 000007
【図５ｂ】
0003194423.tif 000008
【図６】
0003194423.tif 000009
【図７】
0003194423.tif 000010
【図８】
0003194423.tif 000011
【図９】
0003194423.tif 000012
【図１０】
0003194423.tif 000013